(57)【要約】【課題】ヒンジ部の基部に発生する応力を低減し得るようにする。【解決手段】開裂線８よりも強度が高く、開成部分９に折曲可能部分２１を形成可能な折曲線２２を設け、ヒンジ部１５’を、開裂線８と折曲線２２との間に跨がるように形成すると共に、ヒンジ部１５’の余長部１４’の最下点１６’の位置を、真中よりも開裂線８寄りに設定して、開成時に折曲可能部分２１が、余長部１４’の中へ落込み得るよう構成している。【選択図】図７
2007099097.tif 000002
【特許請求の範囲】
【請求項１】
表皮と芯材とを備えると共に、裏面側にエアバッグ本体膨出開口部を画成する開裂線が形成されたエアバッグリッド部材を設け、
該エアバッグリッド部材の裏面に樹脂製のドア部材を取付け、
該ドア部材が、エアバッグ本体膨出開口部外側の非開成部分に当接状態で固定される取付フランジ部と、
該取付フランジ部におけるエアバッグ本体膨出開口部の周縁部近傍からエアバッグリッド部材の裏面側へ向けて延設される脚部と、
エアバッグ本体膨出開口部内側の開成部分に当接状態で固定されるドア部と、
前記脚部およびドア部の間に前記開成部分に対し非当接状態で設けられて折返形状の余長部を有するヒンジ部とを備えたエアバッグリッド構造において、
前記開裂線の内側に、開裂線よりも強度が高く、前記開成部分に折曲可能部分を形成可能な折曲線を設け、
前記ヒンジ部を、前記開裂線と折曲線との間に跨がるように形成すると共に、前記ヒンジ部の余長部の最下点の位置を、真中よりも開裂線寄りに設定して、開成時に前記折曲可能部分が、余長部の中へ落込み得るよう構成したことを特徴とするエアバッグリッド構造。
【請求項２】
前記ヒンジ部が、余長部の中へ落込んだ前記折曲可能部分を、折曲線の位置がエアバッグリッド部材の表面とほぼ等しい高さレベルとなるよう保持可能に構成したことを特徴とする請求項１記載のエアバッグリッド構造。
【発明の詳細な説明】
【技術分野】
【０００１】
この発明は、エアバッグリッド構造に関するものである。
【背景技術】
【０００２】
自動車などの車両には、車室内の前部に、図１０に示すようなインストルメントパネル１が設けられている。そして、このインストルメントパネル１の助手席側の部分には、助手席用のエアバッグ装置２が設けられている（例えば、特許文献１参照）。
【０００３】
この助手席用のエアバッグ装置２は、インストルメントパネル１に設けられたエアバッグリッド部材３と、インストルメントパネル１の内側に配設された図示しないエアバッグモジュールとを備えている。ここで、エアバッグモジュールは、車体に所定値以上の荷重がかかった時に、折り畳んだ状態で収納されているエアバッグ本体をガス圧によって展開し、車室内乗員側へ膨出可能に構成したものである。
【０００４】
上記エアバッグリッド部材３は、例えば、図１１に示すように、表皮５と芯材６とを備えると共に、裏面側にエアバッグ本体膨出開口部７を画成する開裂線８が形成されている。エアバッグ本体膨出開口部７は、通常、平面視ほぼ矩形の閉ループ形状を呈している。なお、インストルメントパネル１は、複雑な立体形状を呈しているため、エアバッグ本体膨出開口部７は、完全な矩形状にはならない。また、エアバッグ本体膨出開口部７のコーナー部には、適宜Ｒ加工が施されている。開裂線８には、平面視で、ほぼＨ字型または日字型をしたものや（いわゆる２枚開き）、Ｕ字型またはロ字型をしたもの（いわゆる１枚開き）など、各種のものが存在する。この場合、開裂線８は、３本の横開裂線部と２本の縦開裂線部とを有する日字型のものとされている。この開裂線８は、芯材６から表皮５の一部に達する深さとなるように形成されている。
【０００５】
なお、エアバッグリッド部材３には、インストルメントパネル１と一体のもの（一体型）や、インストルメントパネル１と別体のもの（別体型）など、各種のものが存在するが、この場合には、一体型とされている。ここで、一体型のエアバッグリッド部材３は、インストルメントパネル１の一部が、そのままエアバッグリッド部材３となるように、開裂線８を加工したものである。なお、一体型のエアバッグリッド部材３には、外部からエアバッグ装置２が見えないという特徴がある。
【０００６】
そして、このエアバッグリッド部材３の裏面に樹脂製のドア部材１０が取付けられる。
【０００７】
このドア部材１０は、エアバッグ本体膨出開口部７外側の非開成部分１０ａに当接状態で固定される取付フランジ部１１と、この取付フランジ部１１におけるエアバッグ本体膨出開口部７の周縁部近傍からエアバッグリッド部材３の裏面側へ向けて延設される脚部１２と、エアバッグ本体膨出開口部７内側の開成部分９（リッド部）に当接状態で固定されるドア部１３と、脚部１２およびドア部１３の間に開成部分９に対し非当接状態で設けられて折返形状の余長部１４を有するヒンジ部１５とを備えている。
【０００８】
なお、上記脚部１２は、エアバッグモジュールを係止保持する保持機能と、展開したエアバッグ本体を開成部分９（リッド部）へ向けてガイドするガイド機能とを備えている。この脚部１２には、エアバッグ本体膨出開口部７の全周に沿って設けられるものや、両端（前後）の横開裂線部に沿って設けられるものなどがある。また、ドア部１３は、開成部分９（リッド部）を裏打ち・補強して確実に開裂線８を開裂させるようにする開裂補助機能を有している。上記ヒンジ部１５の余長部１４は、側面視でほぼＶ字型或いはＵ字型のほぼ対称（完全な対称ではない）な折返形状を呈しており、その最下点１６の位置は余長部１４のほぼ中央に設定されている。そして、余長部１４の脚部１２側の端部の位置に開裂線８の両端（前後）の横開裂線部が設けられている。また、余長部１４は、図１２、図１３に示すように、開成部分９が１８０度回転して非開成部分１０ａの上に裏返しで乗るのに必要な最低限の長さに設定されている。
【０００９】
そして、車体に所定値以上の荷重が作用した時に、エアバッグモジュールに収容されたエアバッグ本体が展開され、このエアバッグ本体が、脚部１２にガイドされてドア部１３へ当り、ドア部１３を介し開成部分９を押して、開裂線８を開裂させる。すると、図１２、図１３に順次示すように、ヒンジ部１５により、開裂線８の両端（前後）の横開裂線部の位置を中心としてドア部１３及び開成部分９が外側へ開かれ、エアバッグ本体膨出開口部７が開口される。これにより、エアバッグ本体は、車室内乗員側へ膨出して乗員を保護するように機能する。この際、ヒンジ部１５の余長部１４が開成部分９に連結されて開成部分９の飛散を防止するように機能する。
【特許文献１】特開２００４−２３１０２７号公報
【発明の開示】
【発明が解決しようとする課題】
【００１０】
しかしながら、上記従来のエアバッグリッド構造では、余長部１４の最下点１６の位置がＶ字型或いはＵ字型のほぼ真中に設定されていたため、エアバッグ本体によって押された時に、図１４に示すように、余長部１４の両側にほぼ均等な力が作用し、両側の横力が打消されて、図１５に示すように、上向きの力のみが残るので、この上向きの力によって開裂線８の開裂後に開成部分９が回動せずに、図１６に示すように、非開成部分１０ａの端面に沿って上ズレを起こし、その後、図１７に示すように、非開成部分１０ａの上面に沿って横ズレを起こし、図１８に示すように、余長部１４が伸びきった後でようやく回動を始めるような、設定外の動きをするおそれがあった。
【００１１】
このような、設定外の作動が生じると、余長部１４が大きく引張られるので、ヒンジ部１５の基部１７に大きな応力が発生するおそれがあった。なお、図１２、図１３に示すように、開成部分９が１８０度回転して非開成部分１０ａの上に裏返しで乗るような設定通りの作動を行う場合であっても、ヒンジ部１５の基部１７に発生する応力の問題は重要となっている。
【課題を解決するための手段】
【００１２】
上記課題を解決するために、請求項１に記載された発明では、表皮と芯材とを備えると共に、裏面側にエアバッグ本体膨出開口部を画成する開裂線が形成されたエアバッグリッド部材を設け、該エアバッグリッド部材の裏面に樹脂製のドア部材を取付け、該ドア部材が、エアバッグ本体膨出開口部外側の非開成部分に当接状態で固定される取付フランジ部と、該取付フランジ部におけるエアバッグ本体膨出開口部の周縁部近傍からエアバッグリッド部材の裏面側へ向けて延設される脚部と、エアバッグ本体膨出開口部内側の開成部分に当接状態で固定されるドア部と、前記脚部およびドア部の間に前記開成部分に対し非当接状態で設けられて折返形状の余長部を有するヒンジ部とを備えたエアバッグリッド構造において、前記開裂線の内側に、開裂線よりも強度が高く、前記開成部分に折曲可能部分を形成可能な折曲線を設け、前記ヒンジ部を、前記開裂線と折曲線との間に跨がるように形成すると共に、前記ヒンジ部の余長部の最下点の位置を、真中よりも開裂線寄りに設定して、開成時に前記折曲可能部分が、余長部の中へ落込み得るよう構成したエアバッグリッド構造を特徴としている。
【００１３】
請求項２に記載された発明では、前記ヒンジ部が、余長部の中へ落込んだ前記折曲可能部分を、折曲線の位置がエアバッグリッド部材の表面とほぼ等しい高さレベルとなるよう保持可能に構成したエアバッグリッド構造を特徴としている。
【発明の効果】
【００１４】
請求項１の発明によれば、前記開裂線の内側に、開裂線よりも強度が高く、前記開成部分に折曲可能部分を形成可能な折曲線を設け、前記ヒンジ部を、前記開裂線と折曲線との間に跨がるように形成すると共に、前記ヒンジ部の余長部の最下点の位置を、真中よりも開裂線寄りに設定して、開成時に前記折曲可能部分が、余長部の中へ落込み得るよう構成したことにより、余長部の伸びを小さくし、ヒンジ部の基部に発生する応力を確実に低減することが可能となる。
【００１５】
請求項２の発明によれば、前記ヒンジ部が、余長部の中へ落込んだ前記折曲可能部分を、折曲線の位置がエアバッグリッド部材の表面とほぼ等しい高さレベルとなるよう保持可能に構成したことにより、折曲の基点となる部分が固定されるので、折曲可能部分を確実且つ効率的に折曲げることが可能となる。
【発明を実施するための最良の形態】
【００１６】
ヒンジ部の基部に発生する応力を低減し得るようにするという目的を、開裂線よりも強度が高く、開成部分に折曲可能部分を形成可能な折曲線を設け、ヒンジ部を、開裂線と折曲線との間に跨がるように形成すると共に、ヒンジ部の余長部の最下点の位置を、真中よりも開裂線寄りに設定して、開成時に折曲可能部分が、余長部の中へ落込み得るよう構成する、という手段で実現した。
【実施例】
【００１７】
以下、本発明を具体化した実施例について、図示例と共に説明する。
【００１８】
図１〜図９は、この発明の実施例を示すものである。なお、インストルメントパネル、助手席用のエアバッグ装置、エアバッグリッド部材などの基本的な構成については、図３、図４のものとほぼ同様なので、必要に応じてこれらの図面を参照すると共に、これらに対する記載を以てこの実施例の説明とする。
【００１９】
この実施例のものでは、開裂線８の内側に、開裂線８よりも強度が高く、開成部分９に折曲可能部分２１を形成可能な折曲線２２を設ける。強度差を付けるために、例えば、開裂線８が、芯材６から表皮５の一部に達する深さに形成されているのに対し、折曲線２２は、表皮５に達しない深さとする。また、折曲線２２は、ほぼ日字型をした開裂線８の両端（前後）の横開裂線部に対してのみ設けるようにする。以下、開裂線８は必要に応じて、折曲線２２が付設された横開裂線部を指すものとする。折曲線２２は、両側の縦開裂線部に達する長さに形成する。また、折曲線２２は、開裂線８と同様の手段で加工する。
【００２０】
そして、ヒンジ部１５’を、開裂線８と折曲線２２との間に跨がるように形成すると共に、ヒンジ部１５’の余長部１４’の最下点１６’の位置を、真中よりも開裂線８寄りに設定して、開成時に折曲可能部分２１が、余長部１４’の中へ落込み得るよう構成する。例えば、ヒンジ部１５’を、側面視ほぼレ字型に近い形状とする。即ち、設計上の制約があって、完全なレ字型とするのは困難であるが、余長部１４’の開裂線８側の端部を、対応する脚部１２の延設方向に可能な限り沿った方向へ延びるようにする（可能な限り図中真下へ向けて延びるようにする）と共に、余長部１４’の折曲線２２側の端部を、上記延設方向に対して可能な限り大きな角度θを有するように構成する。
【００２１】
更に、ヒンジ部１５’が、余長部１４’の中へ落込んだ折曲可能部分２１を、折曲線２２の位置がエアバッグリッド部材の表面とほぼ等しい高さレベル２４となるよう保持可能に構成する。そのために、余長部１４’を、最適な深さに調整する。
【００２２】
また、余長部１４’は、図９に示すように、中へ落込んだ折曲可能部分２１を挟み込んだ状態で、開成部分９が１８０度回転して非開成部分１０ａの上に裏返しで乗るのに必要な最低限の長さに設定する。
【００２３】
次に、この実施例の作用について説明する。
【００２４】
エアバッグ本体によってエアバッグ本体膨出開口部７が開成される基本的な作動については、図１１のものとほぼ同様なので、これに対する記載を以てこの実施例の説明とする。
【００２５】
この実施例では、余長部１４’の最下点１６’の位置を真中よりも開裂線８寄りに設定しているため、エアバッグ本体に押された時に、図２に示すように、余長部１４’の両側に不均等な力が作用し、図３に示すように、両側の横力が打消されずに外側へ向かう力が残るので、この外側へ向かう力によって余長部１４’の両端部が閉じるよう作用され、これによって非開成部分１０ａの端面に対する開成部分９の対応する端面の圧着力が高められることにより、開成部分９の上ズレが規制され、図４、図５に示すように、開成部分９が開裂線８を中心として確実に回動されるようになる。そして、開裂線８が破断されると、上記外側へ向かう力によって、図６、図７に示すように、開成部分９が余長部１４’内に引込まれ、結果として折曲可能部分２１が余長部１４’の中へ落込むこととなる。その後は、図８に示すように、折曲線２２部分で折曲可能部分２１が折曲げられ、図９に示すように、開成部分９の残りの部分が１８０度回転して非開成部分１０ａの上に裏返しで乗ることとなる。
【００２６】
このように、この実施例によれば、開裂線８の内側に、開裂線８よりも強度が高く、開成部分９に折曲可能部分２１を形成可能な折曲線２２を設け、ヒンジ部１５’を、開裂線８と折曲線２２との間に跨がるように形成すると共に、ヒンジ部１５’の余長部１４’の最下点１６’の位置を、真中よりも開裂線８寄りに設定して、開成時に折曲可能部分２１が、余長部１４’の中へ落込み得るよう構成したことにより、余長部１４’の伸びを小さくし、ヒンジ部１５’の基部に発生する応力を確実に低減することが可能となる。
【００２７】
この際、ヒンジ部１５’が、余長部１４’の中へ落込んだ折曲可能部分２１を、折曲線２２の位置がエアバッグリッド部材の表面とほぼ等しい高さレベル２４となるよう保持可能に構成したことにより、折曲の基点となる部分が押さえられる（固定される）ので、折曲可能部分２１を確実且つ効率的に折曲げることが可能となる。
【００２８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２９】
【図１】本発明の実施例にかかるエアバッグリッド部材の図１０のＡ−Ａ断面図である。
【図２】図１の部分拡大図で、且つ、エアバッグリッド部材の開成状態を説明する作動図である。
【図３】図２に続く作動説明図である。
【図４】図３に続く作動説明図である。
【図５】図４に続く作動説明図である。
【図６】図５に続く作動説明図である。
【図７】図６に続く作動説明図である。
【図８】図７に続く作動説明図である。
【図９】図８に続く作動説明図である。
【図１０】インストルメントパネルを車室内側から見た正面図である。
【図１１】従来例にかかるエアバッグリッド部材の縦断面図である。
【図１２】エアバッグリッド部材の開成状態を説明する作動説明図である。
【図１３】図１２に続く作動説明図である。
【図１４】エアバッグリッド部材の設定外の開成状態を説明する作動説明図である。
【図１５】図１４に続く作動説明図である。
【図１６】図１５に続く作動説明図である。
【図１７】図１６に続く作動説明図である。
【図１８】図１７に続く作動説明図である。
【符号の説明】
【００３０】
３    エアバッグリッド部材
５    表皮
６    芯材
７    エアバッグ本体膨出開口部
８    開裂線
９    開成部分
１０  ドア部材
１０ａ  非開成部分
１１  取付フランジ部
１２  脚部
１３  ドア部
１４’  余長部
１５’  ヒンジ部
１６’  最下点
２１  折曲可能部分
２２  折曲線
２４  高さレベル
【図１】
2007099097.tif 000003
【図２】
2007099097.tif 000004
【図３】
2007099097.tif 000005
【図４】
2007099097.tif 000006
【図５】
2007099097.tif 000007
【図６】
2007099097.tif 000008
【図７】
2007099097.tif 000009
【図８】
2007099097.tif 000010
【図９】
2007099097.tif 000011
【図１０】
2007099097.tif 000012
【図１１】
2007099097.tif 000013
【図１２】
2007099097.tif 000014
【図１３】
2007099097.tif 000015
【図１４】
2007099097.tif 000016
【図１５】
2007099097.tif 000017
【図１６】
2007099097.tif 000018
【図１７】
2007099097.tif 000019
【図１８】
2007099097.tif 000020